(57)【要約】  【課題】出金処理を中断せずに、一度に多量の棒金を出金できる棒金処理装置14を提供する。  【解決手段】棒金を収納する複数列の棒金収納部39a，39b、各棒金収納部39a，39bから棒金を取り出して棒金出金口40に搬送する複数列の棒金搬送部42a，42bを設ける。複数列の棒金搬送部42a，42b間で棒金を受け渡す棒金受渡部43を設ける。棒金出金口40には、各棒金搬送部42a，42bで搬送する棒金を受け入れる複数列の棒金受入領域61a，61bを設ける。各棒金受入領域61a，61b毎に受け入れる棒金の満杯を検知する。一方の棒金受入領域61aの満杯を検知すれば、一方の棒金搬送部42aで取り出した棒金を、棒金受渡部43を経由して満杯を検知していない他方の棒金搬送部42bに受け渡して棒金受入領域61bに受け入れる。出金処理を中断せず、一度に多量の棒金を出金できる。  【選択図】図１
2006099225.tif 000002
【特許請求の範囲】
【請求項１】
棒金を収納する複数列の棒金収納部と、
これら複数列の棒金収納部から棒金を取り出して搬送する複数列の棒金搬送部と、
これら複数列の棒金搬送部で搬送する棒金を受け入れる複数列の棒金受入領域を有する棒金出金口と、
この棒金出金口の複数列の棒金受入領域毎に受け入れる棒金の満杯を検知する検知手段と、
前記複数列の棒金搬送部間で棒金を受け渡す棒金受渡部と、
前記検知手段が満杯を検知すれば、満杯を検知した列の棒金搬送部で棒金収納部から取り出した棒金を、前記棒金受渡部を経由して満杯を検知していない列の棒金搬送部に受け渡して棒金出金口の棒金受入領域に受け入れさせる制御部と
を具備していることを特徴とする棒金処理装置。
【請求項２】
棒金を形成していずれか１つの列の棒金搬送部に送り出す包装部を具備し、
制御部は、前記包装部から送り出す棒金を、この包装部から棒金を受け取る列の棒金搬送部によっておよびこの列の棒金搬送部から棒金受渡部を経由して棒金を受け取る他の列の棒金搬送部によって、それぞれ対応する列の棒金収納部に収納させる
ことを特徴とする請求項１記載の棒金処理装置。
【発明の詳細な説明】
【技術分野】
【０００１】
本発明は、棒金を収納し、出金する棒金処理装置に関する。
【背景技術】
【０００２】
従来、包装部で硬貨を所定枚数重積して包装した棒金を棒金収納部に収納しておき、この棒金収納部に収納されている棒金を取り出して出金できるようにした棒金処理装置が知られている。
【０００３】
この棒金処理装置では、棒金の収納量を確保するために例えば２列の棒金収納部を配列し、これら２列の棒金収納部に対応して棒金を搬送して収納させたり棒金を取り出して搬送する２列の棒金搬送部を配列している。包装部で形成した棒金は、包装部側からシュートを通じて一方の列の棒金搬送部に受け渡して一方の列の棒金収納部に収納可能としているとともに、一方の列の棒金搬送部から別のシュートを通じて他方の列の棒金搬送部に受け渡して他方の列の棒金収納部にも収納可能としている。
【０００４】
また、他方の列の棒金収納部側には他方の列の棒金搬送部によって棒金を送り出す１つの出金口が配設されており、他方の列の棒金収納部に収納された棒金を出金する場合には、他方の列の棒金搬送部で他方の列の棒金収納部から棒金を取り出して出金口に送り出している。一方の列の棒金収納部に収納された棒金を出金する場合には、一方の列の棒金搬送部で一方の列の棒金収納部から棒金を取り出してシュートを通じて他方の棒金搬送部に受け渡し、他方の列の棒金搬送部で出金口に送り出している（例えば、特許文献１参照。）。
【０００５】
また、出金口は２列の棒金収納部のそれぞれに対応して２つを設ける場合もあり、この場合には、各列毎に棒金搬送部で棒金収納部から棒金を取り出して各出金口に送り出している。
【特許文献１】特許第２８５７４５０号公報（第２−５頁、第４図）
【発明の開示】
【発明が解決しようとする課題】
【０００６】
しかしながら、同一金種および複数金種を含めて多量の棒金を一度に出金することがあるが、出金口が１つの場合には、出金処理途中で出金口が棒金で満杯になりやすく、満杯になれば出金処理を中断して出金口から棒金を取り出した後、出金処理を再開するというように、棒金を数回に分けて出金しなければならない問題がある。
【０００７】
また、出金口が２つの場合でも、出金処理途中で各列毎に出金口が棒金で満杯になれば、満杯となった列の出金処理を中断して出金口から棒金を取り出した後、出金処理を再開するというように、棒金を数回に分けて出金しなければならない問題がある。
【０００８】
本発明は、このような点に鑑みなされたもので、出金処理を中断することなく、一度に多量の棒金を出金できる棒金処理装置を提供することを目的とする。
【課題を解決するための手段】
【０００９】
請求項１記載の棒金処理装置は、棒金を収納する複数列の棒金収納部と、これら複数列の棒金収納部から棒金を取り出して搬送する複数列の棒金搬送部と、これら複数列の棒金搬送部で搬送する棒金を受け入れる複数列の棒金受入領域を有する棒金出金口と、この棒金出金口の複数列の棒金受入領域毎に受け入れる棒金の満杯を検知する検知手段と、前記複数列の棒金搬送部間で棒金を受け渡す棒金受渡部と、前記検知手段が満杯を検知すれば、満杯を検知した列の棒金搬送部で棒金収納部から取り出した棒金を、前記棒金受渡部を経由して満杯を検知していない列の棒金搬送部に受け渡して棒金出金口の棒金受入領域に受け入れさせる制御部とを具備しているものである。
【００１０】
そして、検知手段が満杯を検知すれば、満杯を検知した列の棒金搬送部で棒金収納部から取り出した棒金を、棒金受渡部を経由して満杯を検知していない列の棒金搬送部に受け渡して棒金出金口の棒金受入領域に受け入れさせるため、出金処理を中断することなく、一度に多量の棒金を出金できる。
【００１１】
請求項２記載の棒金処理装置は、請求項１記載の棒金処理装置において、棒金を形成していずれか１つの列の棒金搬送部に送り出す包装部を具備し、制御部は、前記包装部から送り出す棒金を、この包装部から棒金を受け取る列の棒金搬送部によっておよびこの列の棒金搬送部から棒金受渡部を経由して棒金を受け取る他の列の棒金搬送部によって、それぞれ対応する列の棒金収納部に収納させるものである。
【００１２】
そして、包装部から送り出す棒金を、この包装部から棒金を受け取る列の棒金搬送部によっておよびこの列の棒金搬送部から棒金受渡部を経由して棒金を受け取る他の列の棒金搬送部によって、それぞれ対応する列の棒金収納部に収納できる。
【発明の効果】
【００１３】
請求項１記載の棒金処理装置によれば、検知手段が満杯を検知すれば、満杯を検知した列の棒金搬送部で棒金収納部から取り出した棒金を、棒金受渡部を経由して満杯を検知していない列の棒金搬送部に受け渡して棒金出金口の棒金受入領域に受け入れさせるため、出金処理を中断することなく、一度に多量の棒金を出金できる。
【００１４】
請求項２記載の棒金処理装置によれば、請求項１記載の棒金処理装置の効果に加えて、包装部から送り出す棒金を、この包装部から棒金を受け取る列の棒金搬送部によっておよびこの列の棒金搬送部から棒金受渡部を経由して棒金を受け取る他の列の棒金搬送部によって、それぞれ対応する列の棒金収納部に収納できる。
【発明を実施するための最良の形態】
【００１５】
以下、本発明の一実施の形態を図面を参照して説明する。
【００１６】
図１および図２に硬貨処理機11を示し、この硬貨処理機11は、機体12を有し、この機体12内の左側域にばら状態の硬貨を処理する硬貨処理装置13が配設され、機体12内の右側域にばら状態の硬貨を金種別に所定枚数重積して包装した包装硬貨である棒金Ａを処理する棒金処理装置14が配設されている。
【００１７】
硬貨処理装置13には、機体12の上部側に、ばら状態の硬貨を受け入れて１枚ずつ繰り出す入金用回転円板17、この入金用回転円板17から送り出された硬貨を識別するとともに金種別に分類する硬貨通路18を有する入金処理部19が配設されている。
【００１８】
この入金処理部19の下側に、硬貨通路18で金種別に分類された硬貨を金種別に一時保留する一時保留部20と、この一時保留部20を一時保留位置、収納放出位置、および返却放出位置にそれぞれ移動させる移動機構21とが配設されている。
【００１９】
この一時保留部20の下側に、一時保留部20に保留された硬貨を収納する場合に収納放出位置に移動する一時保留部20から放出される硬貨を金種別に受け入れて収納し、収納した硬貨を棒金処理装置14などに送り込むために硬貨を金種別に繰り出す硬貨収納繰出部22と、一時保留部20に保留された硬貨を返却する場合に返却放出位置に移動する一時保留部20から放出される硬貨を受け入れる返却箱23とが配設されている。硬貨収納繰出部22内には、収納した硬貨を繰り出すための繰出ベルト24が配設されている。
【００２０】
硬貨収納繰出部22の側部には、硬貨収納繰出部22から繰り出された硬貨を棒金処理装置14へ送り込む送込み部25が配設されている。
【００２１】
次に、棒金処理装置14には、機体12の下部域に、送込み部25によって送り込まれる硬貨を受け入れて１枚ずつ繰り出す包装用回転円板27、この包装用回転円板27から繰り出される硬貨を搬送する包装用通路28、この包装用通路28を通して搬送する硬貨を所定枚数ずつ重積する重積部29、この重積部29で重積された重積硬貨を挟持回転させながら包装紙で包装して棒金Ａを形成する３本の包装ローラ30を有する包装部31が配設されている。
【００２２】
この包装部31の下方には、３本の包装ローラ30間から下方に放出される棒金Ａを一定の向きすなわち棒金Ａの長手方向が機体12の前面側に平行でかつ水平方向に向く状態で前方へ送り出す方向変換部32が配設され、この方向変換部32の前方には横搬送部33が配置されているとともに、横搬送部33から前方への棒金Ａの放出と放出規制とを切り換える切換部材34が配設されている。横搬送部33は、この横搬送部33上の棒金Ａを長手方向に搬送可能とし、この横搬送部33上で棒金Ａの長さを測定して基準範囲を超える例えば硬貨重積枚数が異常な棒金Ａを回収箱35に搬送して回収し、硬貨処理機11の機体12の側部に棒金Ａを収納するための図示しない増設用棒金収納部を増設した場合にその増設用棒金収納部との間で互いに棒金Ａを搬送する。
【００２３】
また、包装部31の上部域には、包装部31から送り出す棒金Ａの向きと同じ向きで前面側から棒金Ａを受け入れおよび取り出し可能に収納する複数の棒金トレイ38が上下方向に並設された棒金収納部39a，39bが左右方向に複数列であって例えば２列並設されている。なお、以下、右側の列に対応する各構成を第１、左側の列に対応する各構成を第２と呼び、したがって、第１の棒金収納部39aおよび第２の棒金収納部39bと呼ぶ。
【００２４】
これら棒金収納部39a，39bの前方位置には、機体12の前面側上部に棒金Ａを出金する棒金出金口40が配設され、この棒金出金口40の下側に棒金Ａを一括して収納する棒金一括収納部41が配設されている。これら棒金出金口40および棒金一括収納部41では、包装部31の前面側へ送り出す棒金Ａの向きと同じ向きで棒金を収納する。
【００２５】
包装部31および各棒金収納部39a，39bの前面側と棒金出金口40および棒金一括収納部41との間には、２列の棒金収納部39a，39bに対応して２列の棒金搬送部42a，42bが配設され、これら２列の棒金搬送部42a，42bの上部側にこれら２列の棒金搬送部42a，42b間で互いに棒金を受け渡し可能とする棒金受渡部43が配設されている。
【００２６】
そして、右側の列である第１の棒金収納部39aに対応する第１の棒金搬送部42aは、包装部31、第１の棒金収納部39a、棒金受渡部43、棒金出金口40および棒金一括収納部41にわたって上下方向に配設されており、その包装部31から受け取った棒金Ａを第１の棒金収納部39a、棒金受渡部43、棒金出金口40および棒金一括収納部41のいずれにも搬送可能とし、第１の棒金収納部39aから取り出した棒金Ａを棒金受渡部43、棒金出金口40および棒金一括収納部41のいずれにも搬送可能とし、棒金受渡部43から受け取った棒金Ａを棒金出金口40に搬送可能としている。
【００２７】
左側の列である第２の棒金収納部39bに対応する第２の棒金搬送部42bは、第２の棒金収納部39b、棒金受渡部43、棒金出金口40および棒金一括収納部41にわたって上下方向に配設されており、棒金受渡部43から棒金Ａを受け取って第２の棒金収納部39b、棒金出金口40および棒金一括収納部41のいずれにも搬送可能とするとともに、第２の棒金収納部39bから受け取った棒金Ａを棒金受渡部43、棒金出金口40および棒金一括収納部41のいずれにも搬送可能としている。
【００２８】
各棒金搬送部42a，42bは、包装部31の前面側へ送り出す棒金Ａの向きと同じ向きすなわち長手方向が機体12の前面に平行でかつ水平方向に向く状態で棒金Ａを搬送する回転体として無端状の一対の棒金搬送ベルト46を有し、これら棒金搬送ベルト46が上下のローラ47，48にわたって上下方向に回動可能に張設されており、この棒金搬送ベルト46の周面には棒金Ａを載せて支持する支持面49aを有する複数の棒金支持部49が突設されている。棒金搬送ベルト46は、図示しない駆動手段によって一方向および他方向のいずれにも回転駆動可能とし、棒金搬送ベルト46の一方向への回転（以下、正転という）時に、包装部31および各棒金収納部39a，39bの前面に対向する対向面側46aが上昇し、棒金Ａを１つの棒金支持部49の支持面49aに載せた状態で上方へ搬送可能とし、また、棒金搬送ベルト46の他方向への回転（以下、逆転という）時に、対向面側46aが下降し、この対向面側46aに対して反対の反対面側46bが上昇する。
【００２９】
各棒金搬送部42a，42bの棒金搬送ベルト46の上部側に対向して上部ガイド50が配設され、この上部ガイド50により、棒金搬送ベルト46の正転時に、棒金支持部49の支持面49aに載せて上方へ搬送する棒金Ａを棒金搬送ベルト46との間に受け入れ、棒金搬送ベルト46の対向面側46aに対して反対の反対面側46bにガイドする。
【００３０】
第１の棒金搬送部42aの棒金搬送ベルト46の下部側に対向して下部ガイド51が配設され、この下部ガイド51により、棒金搬送ベルト46の逆転時に、包装部31から送り出される棒金Ａを棒金搬送ベルト46との間に受け入れ、棒金支持部49の棒金Ａを載せて支持する支持面49aとは反対面49bで押しながら搬送する棒金Ａを棒金搬送ベルト46の対向面側46aに対して反対の反対面側46bにガイドする。
【００３１】
また、２列の棒金搬送部42a，42b間で棒金Ａを受け渡す棒金受渡部43は、各棒金収納部39a，39bの上方域で２列の棒金搬送部42a，42bにわたって水平方向に配設されたコンベヤ52を有し、このコンベヤ52に載せた棒金Ａを２列の棒金搬送部42a，42bのいずれにも搬送可能とし、このコンベヤ52の上方で各棒金搬送部42a，42bの位置には棒金搬送ベルト46の棒金支持部49で上方へ搬送してきた棒金Ａをコンベヤ52に取り込んだりコンベヤ52上の棒金Ａを棒金搬送ベルト46の棒金支持部49に受け渡す受渡部材53が配設されている。
【００３２】
また、各棒金収納部39a，39bの各棒金トレイ38は、機体12の前後方向に対応して長く、包装部31の前面側へ送り出す棒金Ａの向きと同じ向きすなわち棒金Ａの長手方向が機体12の前面に平行でかつ水平方向に向く状態で複数の棒金Ａを前後方向に並列に収納するとともに、棒金トレイ38が前方へ向けて下降傾斜して収納した棒金Ａを前方に寄せて整列状態に収納する。棒金トレイ38の前端には最前列の棒金Ａの前面側を支える支え部56が立ち上げられ、この支え部56は、各棒金搬送部42a，42bの一対の棒金搬送ベルト46の棒金支持部49に干渉せず、その一対の棒金搬送ベルト46の棒金支持部49の間に対して進退可能とする幅に形成されている。そして、各棒金トレイ38は、それぞれ図示しない棒金トレイ駆動手段によって、棒金トレイ38の前端部が棒金搬送ベルト46の棒金支持部49の移動領域より後方に離反した収納位置（待機位置）と、棒金トレイ38の前端部が棒金搬送ベルト46の棒金支持部49の移動領域に侵入する前方の受渡位置との間で移動可能としている。
【００３３】
各棒金収納部39a，39bと各棒金搬送部42a，42bとの間にはストッパ体57が上下方向に移動可能に配設され、このストッパ体57には各棒金トレイ38毎に対応してストッパ部58が設けられており、棒金トレイ38が後方の収納位置から前方の受渡位置に移動するときに、このストッパ体57が上昇してストッパ部58が最前列の棒金Ａに係合し、棒金トレイ38の収納済みの棒金Ａの前方への移動を規制することにより、棒金トレイ38の前端部に各棒金搬送部42a，42bから棒金Ａを受け入れ可能とする空間を形成するようにしている。なお、ストッパ部58は棒金トレイ38の幅方向の一部に対応して設けられ、棒金トレイ38にはストッパ部58が入り込む溝が設けられ、ストッパ部58と棒金トレイ38とが干渉しないように構成されている。
【００３４】
そして、棒金トレイ38に棒金Ａを収納するときには、棒金搬送ベルト46の正転によって棒金支持部49に載せて上方に搬送する棒金Ａを収納する棒金トレイ38より上方域で一旦停止させた後、棒金トレイ38を後方の収納位置から前方の受渡位置に移動させ、このときストッパ体57のストッパ部58で棒金トレイ38内の収納済みの棒金Ａの前方への移動を規制して棒金トレイ38の前端部に棒金Ａを受け入れ可能とする空間を形成し、棒金搬送ベルト46の逆転によって棒金支持部49を下降させ、棒金支持部49上の棒金Ａを棒金トレイ38の前端部に受け渡して収納し、棒金トレイ38を前方の受渡位置から後方の収納位置に戻す。また、棒金トレイ38から棒金Ａを取り出すときには、ストッパ体57は作動させず、棒金トレイ38を後方の収納位置から前方の受渡位置に移動させ、正転する棒金搬送ベルト46の棒金支持部49で棒金トレイ38の最前列の棒金Ａをすくい上げて取り出し、棒金トレイ38を前方の受渡位置から後方の収納位置に戻す。
【００３５】
また、棒金出金口40は、機体12の前面側上部に２列の棒金搬送部42a，42bにわたる横幅に設けられ、各棒金搬送部42a，42bで搬送する棒金Ａをそれぞれ受け入れて収納する２列（第１および第２）の棒金受入領域61a，61bが形成されている。これら棒金受入領域61a，61bは上面を開口した棒金出金箱62内に形成され、この棒金出金箱62の上面開口には、その上面開口すなわち棒金出金口40を開閉するシャッター63が配設されている。
【００３６】
棒金出金箱62の各棒金搬送部42a，42bに臨む上部には、正転する棒金搬送ベルト46により上部ガイド50を通じて対向面側46aから反対面側46bに搬送されてくる棒金Ａを棒金出金口40に取り込む取込位置と棒金出金口40への進入を規制して下方へガイドする通過位置とに切換可能とする取込部材64が設けられている。この棒金出金口40の棒金出金箱62に収納する棒金Ａは、包装部31の前面側へ送り出す棒金Ａの向きと同じ向きであって棒金搬送部42a，42bで搬送する棒金Ａの状態、すなわち長手方向が機体12の前面に平行でかつ水平方向に向く状態で収納する。
【００３７】
また、棒金一括収納部41は、機体12の前面側で棒金出金口40の下側のスペースに着脱可能に装着された棒金一括収納箱67で構成されるとともに２列の棒金搬送部42a，42bにわたる横幅に設けられ、この棒金一括収納部41の各棒金搬送部42a，42bに臨む上部には、正転する棒金搬送ベルト46により上部ガイド50を通じて対向面側46aから反対面側46bに搬送されてくるとともに棒金出金口40を通過して搬送されてくる棒金Ａを棒金一括収納部41に取り込む取込位置とこの取込位置から棒金搬送ベルト46の棒金支持部49に干渉しない位置に退避する退避位置とに切換可能とする取込部材68が設けられている。この棒金一括収納部41に収納する棒金Ａは、包装部31の前面側へ送り出す棒金Ａの向きと同じ向きであって棒金搬送部42a，42bで搬送する棒金Ａの状態、すなわち長手方向が機体12の前面に平行でかつ水平方向に向く状態で収納する。
【００３８】
また、棒金出金口40および棒金一括収納部41の下側のスペースには、逆転する棒金搬送ベルト46により下部ガイド51を通じて対向面側46aから反対面側46bに搬送されてくる棒金Ａを所定高さまで上昇した位置から機体12外である機体12の前面側へ投出する投出シュート71が配設されている。この投出シュート71は、機体12外へ向けて下降傾斜し、包装部31の前面側へ送り出す棒金Ａの向きと同じ向きであって第１の棒金搬送部42aで搬送する棒金Ａの状態、すなわち長手方向が機体12の前面に平行でかつ水平方向に向く状態の棒金Ａを受け入れてその状態のまま転動させて投出可能としている。投出シュート71の入口部には、逆転する棒金搬送ベルト46により反対面側46bを上昇する棒金Ａを投出シュート71の上方へ一旦通過させる通過位置と、棒金搬送ベルト46の逆転から正転への切り換えによって下降する棒金を投出シュート71に取り込む取込位置とに切換可能とする取込部材72が配設されている。
【００３９】
次に、図３に棒金処理装置14を制御する制御部81を示している。この制御部81は、棒金出金時に棒金出金口40の複数列の棒金受入領域61a，61b毎に受け入れる棒金Ａの満杯を検知する検知手段82、各棒金搬送部42a，42bおよび棒金受渡部43などが接続されている。
【００４０】
検知手段82は、各棒金搬送部42a，42bから棒金出金口40の各棒金受入領域61a，61bに受け入れる棒金Ａをソフト的にカウントして予め設定された本数をカウントすることで満杯を検知する。または、棒金受入領域61a，61b毎に棒金Ａの満杯位置に対応して満杯検知センサを設置し、これら満杯検知センサで満杯を検知することもできる。
【００４１】
制御部81は、棒金出金時には、検知手段82で棒金受入領域61a，61bのうちのいずれか一方の満杯を検知すれば、満杯を検知した列側から取り出した棒金Ａを、棒金受渡部43を経由して満杯を検知していない列に受け渡して棒金受入領域61a，61bの満杯を検知していない列側に受け入れさせる機能を有している。さらに、棒金収納時には、包装部31から送り出す棒金Ａを、この包装部31から棒金Ａを受け取る第１の棒金搬送部42aによっておよびこの第１の棒金搬送部42aから棒金受渡部43を経由して棒金Ａを受け取る第２の列の棒金搬送部42bによって、それぞれ対応する列の棒金収納部39a，39bに収納させる機能を有している。
【００４２】
次に、棒金処理装置14の作用を説明する。
【００４３】
棒金Ａを形成して収納する場合、複数金種のうちの任意の１つの金種の硬貨収納繰出部22から硬貨を繰り出し、送込み部25を通じて包装部31の包装用回転円板27に送り込む。
【００４４】
包装部31において、包装用回転円板27から硬貨を１枚ずつ包装用通路28に繰り出し、この包装用通路28から１枚ずつ硬貨を重積部29に送り込んでこの重積部29で下部側から上方へ順次重積していって所定枚数の硬貨を重積する。この重積硬貨を３本の包装ローラ30で挟持して回転させながら、包装紙を重積硬貨の周囲に巻き付けるとともに包装紙の端部を重積硬貨の端面にかしめ、包装硬貨である棒金Ａを形成し、下方へ放出する。
【００４５】
包装部31からは棒金Ａの長手方向が上下方向に向く状態で下方へ放出されるが、この棒金Ａを方向変換部32によって棒金Ａの長手方向が機体12の前面に平行でかつ水平方向に向く状態に変換しつつ前方へ向けて転がるように導き、第１の棒金搬送部42aの棒金搬送ベルト46の棒金支持部49に受け渡す。
【００４６】
第１の棒金搬送部42aの棒金搬送ベルト46の正転により棒金支持部49に載せた棒金Ａを上方へ搬送し、第１の棒金収納部39aの中の対応する金種の棒金トレイ38に収納する。
【００４７】
第１の棒金収納部39aの中の対応する金種の棒金トレイ38が満杯の場合には、第１の棒金搬送部42aで棒金Ａを上部まで搬送して棒金受渡部43に受け渡し、この棒金受渡部43で第２の棒金搬送部42b側に搬送してその第２の棒金搬送部42bの棒金搬送ベルト46の棒金支持部49に受け渡し、その第２の棒金搬送部42bによって第２の棒金収納部39aの中の対応する金種の棒金トレイ38に収納する。
【００４８】
このように、包装部31から送り出す棒金Ａを、この包装部31から棒金Ａを受け取る第１の棒金搬送部42aによっておよびこの第１の棒金搬送部42aから棒金受渡部43を経由して棒金Ａを受け取る第２の棒金搬送部42bによって、それぞれ対応する各棒金収納部39a，39bに収納できる。
【００４９】
さらに、両方の棒金収納部39a，39bの中の対応する金種の棒金トレイ38がいずれも満杯の場合には、第１の棒金搬送部42aで棒金Ａを上部に搬送して上部ガイド50を通じて対向面側46aから反対面側46bに搬送し、棒金出金口40の側部を通過させて棒金一括収納部41に送り込んで収納する。あるいは、上述のように、第１の棒金搬送部42aから棒金Ａを棒金受渡部43から第２の棒金搬送部42bに受け渡し、この第２の棒金搬送部42bで棒金一括収納部41に送り込んで収納する。これら棒金搬送部42a，42bで交互に棒金一括収納部41に棒金Ａを収納させた場合には、棒金一括収納部41内に棒金Ａを分散させて均等に収納できる。
【００５０】
また、棒金Ａを出金する場合、出金データに基づき、棒金収納部39a，39bから１金種ずつ棒金Ａを取り出して棒金出金口40に払い出す。
【００５１】
例えば、第１の棒金収納部39aから棒金Ａを取り出す場合には、第１の棒金収納部39aの出金する金種の棒金トレイ38が後方の収納位置から前方の受渡位置に移動し、棒金搬送ベルト46が正転して棒金支持部49で最前列の１本の棒金Ａをすくい上げて取り出す。同一金種の棒金Ａを複数本出金する場合には、棒金トレイ38が受渡位置にそのまま位置し、続く棒金支持部49ですくい上げて取り出す。必要本数の棒金Ａの取り出しが完了したら、棒金トレイ38を前方の受渡位置から後方の収納位置に戻す。他の金種がある場合には同様の動作で棒金Ａを取り出す。
【００５２】
第１の棒金搬送部42aの棒金搬送ベルト46によって上部に搬送した棒金Ａを上部ガイド50を通じて対向面側46aから反対面側46bに搬送し、棒金出金口40の第１の棒金受入領域61aに受け入れさせる。この第１の棒金受入領域61aに受け入れる棒金Ａの本数は検知手段82によって監視する。
【００５３】
第１の棒金受入領域61aに受け入れる棒金Ａの本数が予め設定された本数に達し、検知手段82が満杯を検知すれば、満杯を検知した第１の棒金搬送部42aで第１の棒金収納部39aから取り出した棒金Ａを、棒金受渡部43を経由して満杯を検知していない第２の棒金搬送部42bに受け渡し、この第２の棒金搬送部42bで棒金出金口40の第２の棒金受入領域61bに受け入れさせる。そのため、第１の棒金受入領域61aが満杯になっても、出金処理を中断することなく、第１の棒金収納部39aから一度に多量の棒金Ａを取り出して出金できる。
【００５４】
なお、第２の棒金収納部39bから棒金Ａを取り出す場合にも、同様に、第２の棒金搬送部42bによって棒金Ａを受け入れる第１の棒金受入領域61aが満杯になれば、満杯を検知した第２の棒金搬送部42bで第２の棒金収納部39bから取り出した棒金Ａを、棒金受渡部43を経由して満杯を検知していない第１の棒金搬送部42aに受け渡し、この第１の棒金搬送部42aで棒金出金口40の第１の棒金受入領域61aに受け入れさせる。そのため、第２の棒金受入領域61bが満杯になっても、出金処理を中断することなく、第２の棒金収納部39bから一度に多量の棒金Ａを取り出して出金できる。
【００５５】
また、機体12の側部に棒金Ａを収納するための図示しない増設用棒金収納部を増設した場合には、横搬送部33を通じてその増設用棒金収納部との間で互いに棒金Ａを搬送可能に構成する。そして、増設用棒金収納部に収納された棒金Ａを出金するときには、増設用棒金収納部から、横搬送部33、第１の棒金搬送部42aを通じて、または、横搬送部33、第１の棒金搬送部42a、棒金受渡部43、第２の棒金搬送部42bを通じて、棒金出金口40の第１の棒金受入領域61aまたは第２の棒金受入領域61bに受け入れさせる。
【００５６】
なお、棒金収納部、棒金搬送部、棒金出金口の棒金受入領域は、２列に限らず、３列以上を並設してもよく、棒金受渡部はこれら複数列の棒金搬送部間で棒金の受け渡しを可能に構成する。
【図面の簡単な説明】
【００５７】
【図１】本発明の一実施の形態を示す棒金処理装置の内部構造を示す正面図である。
【図２】同上棒金処理装置の内部構造を示す側面図である。
【図３】同上棒金処理装置のブロック図である。
【符号の説明】
【００５８】
14    棒金処理装置
31    包装部
39a，39b    棒金収納部
40    棒金出金口
42a，42b    棒金搬送部
43    棒金受渡部
61a，61b    棒金受入領域
81    制御部
82    検知手段
Ａ    棒金
【図１】
2006099225.tif 000003
【図２】
2006099225.tif 000004
【図３】
2006099225.tif 000005